(57)【要約】      （修正有）【課題】手首を曲げると痛みを生じるのを防止するとともに、握力が弱くなってもゴルフのグリップをしっかりと握ることがきるものを提供する。【解決手段】一端に前腕添え部、他端に手の甲添え部を一体に有する硬質で半円筒状の手首添え具１８と、前記手の甲添え部の外面に形成した面ファスナー２３と、この面ファスナーに一端部を固定し、ゴルフクラブのグリップ３３を握った指を保持して他端部を前記手の甲添え部の外面に形成した面ファスナーに固定する指補強ベルト２２と、前記前腕添え部を前腕に固定する面ファスナーからなる固定ベルト２４，２５とにより構成する。【選択図】図２
0003155330.tif 000002
【実用新案登録請求の範囲】
【請求項１】
一端に前腕添え部、他端に手の甲添え部を一体に有する硬質で半円筒状の手首添え具と、前記手の甲添え部の外面に形成した面ファスナーと、この面ファスナーに一端部を固定し、ゴルフクラブのグリップを握った指を保持して他端部を前記手の甲添え部の外面に形成した面ファスナーに固定する指補強ベルトと、前記前腕添え部を前腕に固定する面ファスナーからなる固定ベルトとを具備したことを特徴とするゴルフ用握りの補強具。
【請求項２】
手の甲添え部における手の甲と接する位置に、人差し指から子指までの付け根にある関節が露出するように傾斜した間接露出線と、親指の付け根にある関節が露出するように傾斜した間接露出線とを形成したことを特徴とする請求項１記載のゴルフ用握りの補強具。
【請求項３】
手首添え具の外側面に形成したフック側の面ファスナーがフック側で、指補強ベルトの片面がループ側としたことを特徴とする請求項１又は２記載のゴルフ用握りの補強具。
【請求項４】
ループ側の面ファスナーからなる固定ベルトは、手首添え具に鋲でやや回動自在に取り付けたことを特徴とする請求項１、２又は３記載のゴルフ用握りの補強具。
【請求項５】
指補強ベルトは、略指３本分の幅で、手首から指先までの長さの約２倍の長さを有し、伸縮自在の繊維で織られたものからなることを特徴とする請求項１、２、３または４記載のゴルフ用握りの補強具。
【考案の詳細な説明】
【技術分野】
【０００１】
本考案は、脳梗塞の後遺症の病気や指の怪我などで握力が弱くなったり、手首を曲げると痛みを感じたりしてもゴルフのグリップをしっかりと握ることのできるゴルフ用握りの補強具に関するものである。
【背景技術】
【０００２】
正式のゴルフ競技会は別として、趣味でゴルフを楽しみたい人にとって、病気や指の怪我などで握力が弱くなって、指と手のひらでゴルフのグリップをしっかりと握ることができないと、ゴルフクラブを振ってもボールが飛ばないばかりか、振り回したときゴルフクラブが手からすっぽ抜けて同伴者に危害を与える恐れがある。また、手首を曲げると痛みを生じるためゴルフができないという症状を有する場合もある。
ゴルフの正しいスイングを学ぶために、手首が外側に曲がらないようにしたゴルフ練習用の補助具に関する発明が従来から種々提案されている。例えば、図５に示す前腕補助具１３（特許文献１）は、半円筒状の挟腕部１４を前腕１０に嵌めて固定バンド１６と１７で固定し、手の甲部１５を手のひらと同一方向にのみ回動するようにしたものである。これにより、手首１１が左右に揺動できるが、前後には曲がらないようにしている。
【０００３】
同様に、特許文献２に示すものは、挟腕部を前腕に固定するだけでなく、手の甲部をも手の甲に固定し、挟腕部と手の甲部の前後の傾きを調整した後固定することにより、手首の角度が変化しないように、かつ、最適な角度に固定し、その角度で固定したままアプローチショットなどの技術を習得しようとするものである。
【先行技術文献】
【特許文献】
【０００４】
【特許文献１】特開平６−２３３８４７号公報
【特許文献２】特開平７−２２７４５１号公報
【考案の概要】
【考案が解決しようとする課題】
【０００５】
特許文献１及び２に示すものは、手首を曲げると痛みを生じるためゴルフができないという症状を有する場合には、ある程度の効果がある。しかし、病気や指の怪我などで握力が弱くなってもゴルフのグリップをしっかりと握ることができるようにしたものはこれまでに見られなかった。
本考案は、手首を曲げると痛みを生じるのを防止するとともに、握力が弱くなってもゴルフのグリップをしっかりと握ってゴルフのプレーを楽しむことのできるものを提供することを目的とするものである。
【課題を解決するための手段】
【０００６】
本考案は、一端に前腕添え部、他端に手の甲添え部を一体に有する硬質で半円筒状の手首添え具と、前記手の甲添え部の外面に形成した面ファスナーと、この面ファスナーに一端部を固定し、ゴルフクラブのグリップを握った指を保持して他端部を前記手の甲添え部の外面に形成した面ファスナーに固定する指補強ベルトと、前記前腕添え部を前腕に固定する面ファスナーからなる固定ベルトとを具備したことを特徴とする。
手首添え具の先端の手の甲添え部における手の甲と接する位置に、人差し指から子指までの付け根にある関節が露出するように傾斜した間接露出線と、親指の付け根にある関節が露出するように傾斜した間接露出線とを形成したことを特徴とする。
【０００７】
手首添え具の外側面に形成したフック側の面ファスナーがフック側で、指補強ベルトの片面がループ側としたことを特徴とする。
ループ側の面ファスナーからなる固定ベルトは、手首添え具に鋲でやや回動自在に取り付けたことを特徴とする。
指補強ベルトは、略指３本分の幅で、手首から指先までの長さの約２倍の長さを有し、伸縮自在の繊維で織られたものからなることを特徴とする。
【考案の効果】
【０００８】
請求項１記載の考案によれば、一端に前腕添え部、他端に手の甲添え部を一体に有する硬質で半円筒状の手首添え具と、前記手の甲添え部の外面に形成した面ファスナーと、この面ファスナーに一端部を固定し、ゴルフクラブのグリップを握った指を保持して他端部を前記手の甲添え部の外面に形成した面ファスナーに固定する指補強ベルトと、前記前腕添え部を前腕に固定する面ファスナーからなる固定ベルトとを具備したので、手首を曲げると痛みを生じるのを防止できるとともに、握力が弱くなってもゴルフのグリップをしっかりと握ってゴルフのプレーを楽しむことができる。
【０００９】
請求項２記載の考案によれば、手の甲添え部における手の甲と接する位置に、人差し指から子指までの付け根にある関節が露出するように傾斜した間接露出線と、親指の付け根にある関節が露出するように傾斜した間接露出線とを形成したので、ゴルフクラブのグリップを握っている指だけをグリップに保持でき、長時間縛りつけても手先や手首に負担をかけることがない。
【００１０】
請求項３記載の考案によれば、手首添え具の外側面に形成したフック側の面ファスナーがフック側で、指補強ベルトの片面がループ側としたので、手首添え具への指補強ベルトの着脱が簡単にできる。
【００１１】
請求項４記載の考案によれば、ループ側の面ファスナーからなる固定ベルトは、手首添え具に鋲でやや回動自在に取り付けたので、固定ベルトの方向を調節して前腕や手首にしっかりと固定できる。
【００１２】
請求項５記載の考案によれば、指補強ベルトは、略指３本分の幅で、手首から指先までの長さの約２倍の長さを有し、伸縮自在の繊維で織られたものからなるので、グリップを握るのに最も重要な３本の指をよりしっかりと保持できる。
【図面の簡単な説明】
【００１３】
【図１】本考案によるゴルフ用握りの補強具の一実施例を示す正面図である。
【図２】本考案によるゴルフ用握りの補強具を手首に装着し、ゴルフクラブを握って指を固定した状態の指側からみた斜視図である。
【図３】本考案によるゴルフ用握りの補強具を手首に装着し、手の甲側からみた斜視図である。
【図４】本考案によるゴルフ用握りの補強具を手首に装着し、親指側からみた斜視図である。
【図５】従来の前腕補助具を手首に装着した状態の正面図である。
【考案を実施するための形態】
【００１４】
本考案によるゴルフ用握りの補強具は、一端に前腕添え部、他端に手の甲添え部を一体に有する硬質で半円筒状の手首添え具と、前記手の甲添え部の外面に形成した面ファスナーと、この面ファスナーに一端部を固定し、ゴルフクラブのグリップを握った指を保持して他端部を前記手の甲添え部の外面に形成した面ファスナーに固定する指補強ベルトと、前記前腕添え部を前腕に固定する面ファスナーからなる固定ベルトとを具備している。
手首添え具先端の手の甲添え部における手の甲と接する位置に、人差し指から子指までの付け根にある関節が露出するように傾斜した間接露出線と、親指の付け根にある関節が露出するように傾斜した間接露出線とを形成する。
【００１５】
手首添え具の外側面に形成した面ファスナーがフック側で、指補強ベルトの片面がループ側とする。
ループ側の面ファスナーからなる固定ベルトは、手首添え具に鋲でやや回動自在に取り付ける。
指補強ベルトは、略指３本分の幅で、手首から指先までの長さの約２倍の長さを有し、伸縮自在の繊維で織られたものからなる。
【実施例１】
【００１６】
本考案による実施例１を図１ないし図４に基づき説明する。
１８は、プラスチックなどの硬質の材料からなる手首添え具で、この手首添え具１８は、半円筒状をなし、略中央部に手首が位置するようにして嵌合し、一端部が前腕添え部１９をなし、他端部がやや広がった手の甲添え部２０をなしている。この手の甲添え部２０は、手の甲１２が前腕１０よりも外側にやや傾斜しているのでその傾きに沿ってやや外側に傾斜している。また、先端が人差し指２９から子指３２までの付け根にある関節（手根骨）が露出するように傾斜した間接露出線２１ａとし、また、先端の親指側が親指２８と人差し指２９の付け根まで延びて親指２８の付け根にある関節（手根骨）が露出するように傾斜した間接露出線２１ｂとしている。
【００１７】
前記手首添え具１８の外面で、手の甲添え部２０側と前腕添え部１９側に位置してそれぞれループ側の面ファスナーからなる固定ベルト２４と２５が取り付け方向を調整できるように鋲３４によってやや回動可能に取り付けられ、また、手首添え具１８の外面には、フック側の面ファスナー２６と２７が貼着されている。
また、手の甲添え部２０の外面には、略全域にわたってフック側の面ファスナー２３が貼着されている。このフック側の面ファスナー２３に指３本分の幅で、手首１１から指先までの長さの約２倍の長さを有する指補強ベルト２２が用意される。
前記ループ側の面ファスナーからなる固定ベルト２４、２５及び指補強ベルト２２は、ゴム質などの伸縮自在の繊維で織られたものが用いられる。
【００１８】
以上のように構成された本考案のゴルフ用握りの補強具に、手の甲１２を向けて手首１１の部分を嵌め込む。このとき、手首１１を曲げたりすることなく、自然な状態で手の甲１２が手の甲添え部２０の内側に接するように位置を調整する。本考案のゴルフ用握りの補強具に手首１１を嵌め込んだら、ループ側の面ファスナーからなる固定ベルト２４と２５をやや引っ張りながらフック側の面ファスナー２６と２７に貼り付けて前腕１０に固定する。
つぎに、指補強ベルト２２の一端部を、中指３０、薬指３１、子指３２の指先に向けてフック側の面ファスナー２３に貼り付ける。左手（右利きの場合）の５本の指で図３のようにゴルフクラブのグリップ３３を握り、貼り付けた指補強ベルト２２の他端側を引っ張りながら図２に示すように中指３０、薬指３１、子指３２の３本の指が隠れるように巻きつけ、この指補強ベルト２２の他端部を図４に示すように親指２８の付け根にある関節（手根骨）が隠れるように引っ張りながら手の甲添え部２０のフック側の面ファスナー２３に貼り付ける。
この結果、握力の弱い人でもゴルフクラブのグリップ３３を５本の指でしっかりと保持でき、ゴルフボールを飛ばすのに支障がなくなる。同時に、振り回したときゴルフクラブが手からすっぽ抜けることもなくなる。
【００１９】
図２から図４において、ゴルフクラブのグリップ３３を素手で握るように記載したが、これは、ゴルフ用握りの補強具と手首１１と５本の指２８、２９、３０、３１、３２の関係を正しく表現するためであり、通常は、ゴルフ用の手袋を嵌めて本考案のゴルフ用握りの補強具を装着することが望ましい。
指補強ベルト２２で中指３０、薬指３１、子指３２を固定する際にこれらの指に痛みを与えるような場合には、指と指補強ベルト２２の間に軟質の保護布等を介在するようにしてもよい。
【符号の説明】
【００２０】
１０…前腕、１１…手首、１２…手の甲、１３…前腕補助具、１４…挟腕部、１５…手の甲部、１６…固定バンド、１７…固定バンド、１８…手首添え具、１９…前腕添え部、２０…手の甲添え部、２１…間接露出線、２２…指補強ベルト、２３…フック側の面ファスナー、２４…ループ側の面ファスナーからなる固定ベルト、２５…ループ側の面ファスナーからなる固定ベルト、２６…フック側の面ファスナー、２７…フック側の面ファスナー、２８…親指、２９…人差し指、３０…中指、３１…薬指、３２…子指、３３…ゴルフクラブのグリップ、３４…鋲。
【図１】
0003155330.tif 000003
【図２】
0003155330.tif 000004
【図３】
0003155330.tif 000005
【図４】
0003155330.tif 000006
【図５】
0003155330.tif 000007